(57)【要約】【課題】撮像装置に掛かる衝撃、特に、沈胴レンズ鏡筒の光軸方向に掛かる衝撃から沈胴レンズ鏡筒を効果的に保護する【解決手段】撮像装置１は、沈胴レンズ鏡筒３をレンズフレーム１３３を介してメインフレーム８１に取付け、該メインフレーム８１を撮像装置の外筐（筐体）に取付けることにより構成されている。沈胴レンズ鏡筒３の光軸方向における前記レンズフレーム１３３と前記メインフレーム８１の間にクッション材１５１を介在させた。【選択図】図４８
2007212641.tif 000002
【特許請求の範囲】
【請求項１】
沈胴レンズ鏡筒をレンズフレームを介してメインフレームに取付け、該メインフレームを外筐に取付けてなる沈胴レンズ鏡筒を備えた撮像装置において、
前記レンズフレームと前記メインフレームの間にクッション材を介在させたことを特徴とする沈胴レンズ鏡筒を備えた撮像装置。
【請求項２】
前記クッション材は、前記沈胴レンズ鏡筒の光軸方向における前記レンズフレームと前記メインフレームの間に介在されていることを特徴とする請求項１に記載の沈胴レンズ鏡筒を備えた撮像装置。
【請求項３】
前記レンズフレームは、前記メインフレームに前記沈胴レンズ鏡筒の光軸方向に変位可能に支持されていることを特徴とする請求項１に記載の沈胴レンズ鏡筒を備えた撮像装置。
【請求項４】
前記クッション材は、合成樹脂で板状に形成されていて、前記レンズフレームの前記メインフレームと対向する面に、前記沈胴レンズ鏡筒の光軸を中心に略同心位置に複数配置されていることを特徴とする請求項１に記載の沈胴レンズ鏡筒を備えた撮像装置。
【請求項５】
前記複数のクッション材の内の少なくとも一枚のクッション材は、前記メインフレームに直接、接触し、他のクッション材は、該クッション材と前記メインフレームの間の隙間に介在された他部材を介して前記メインフレームに接触することを特徴とする請求項４に記載の沈胴レンズ鏡筒を備えた撮像装置。
【請求項６】
前記沈胴レンズ鏡筒は、最外筒を回転可能に保ちつつ該最外筒の先端面を覆うリング状のカバーを備え、該カバーが前記クッション材の弾性力で前記筐体の内面に押し付けられていることを特徴とする請求項１に記載の沈胴レンズ鏡筒を備えた撮像装置。
【請求項７】
前記複数のクッション材は、高密度マイクロカプセルポリウレタンフォームで形成されていることを特徴とする請求項１に記載の沈胴レンズ鏡筒を備えた撮像装置。
【発明の詳細な説明】
【技術分野】
【０００１】
本発明は、沈胴レンズ鏡筒を備えたデジタルスチルカメラ等の撮像装置に関し、特に、落下時等の衝撃から沈胴レンズ鏡筒を効果的に保護することができるようにしたものである。
【背景技術】
【０００２】
沈胴レンズ鏡筒を備えた撮像装置は、一般に図５４に示すように、沈胴レンズ鏡筒３０１をレンズフレーム３０２を介してＬＣＤフレーム等のメインフレーム３０３に取付け、該メインフレーム３０３を固定部３０４で外筐（筐体）３０５に取付ける構成になっている。このような構成の撮像装置３０６は、落下時等において、沈胴レンズ鏡筒３０１に衝撃Ｇが加わった場合に、その衝撃Ｇは殆ど吸収されることなく、沈胴レンズ鏡筒３０１に掛かるために沈胴レンズ鏡筒３０１に故障が発生し易い。
【０００３】
落下時等の衝撃から沈胴レンズ鏡筒を保護するために、例えば、撮像装置の外筐内にＡＢＳ樹脂やガラス充填ポリカーボネート等のエンジニアリング樹脂によるモールドボックスを設け、そのモールドボックス内に沈胴レンズ鏡筒の固定鏡筒を保持させることによって、外筐に加わる衝撃や応力が固定鏡筒に直接、伝わらないようにしたもの、或いは、前記モールドボックスに代えて、固定鏡筒を環状の金属製帯状フレームを介して外筐に保持した撮像装置が開発されている。（例えば、特許文献１）
また、沈胴レンズ鏡筒を伸張させている状態において、撮像装置を誤って落とすなどして撮像装置に衝撃が加わると、レンズのカム溝からのカムフォロアピンの脱落等の故障が発生し易いので、これを防止するために、撮像装置の落下を検出する検出手段を設け、該検出手段により撮像装置が落下中であると検出された場合に、瞬時に前記沈胴レンズ鏡筒を収縮させ、外筐内に収納した状態にして、沈胴レンズ鏡筒を保護する撮像装置も開発されている。（例えば、特許文献２）
【特許文献１】特開２００１−２５５５７７号公報（段落０００３、段落０００６等）
【特許文献２】特開２００４−１１７８４５号公報（段落０００８、段落０００９、図４等）
【発明の開示】
【発明が解決しようとする課題】
【０００４】
ところで、前記特許文献１のモールドボックスを使用した撮像装置は、外筐の容積が増大して小型化に不適であり、また重量も増大するため軽量化にも不適である。これに対して金属製帯状フレームを使用したものは、モールドボックスを使用するものに較べて、外筐の容積の増大および重量の増大を抑制することができるが、金属製帯状フレームは、撓みにくく衝撃吸収効果が弱い。特に、前記特許文献１添付の図４に示されているように、天井面取付け部４１の主面が沈胴レンズ鏡筒の光軸方向と平行になっているために、該天井面取付け部４１の光軸方向への撓みは期待できず、従って前記光軸方向に対する衝撃吸収性能が悪い。
【０００５】
また、前記特許文献２の撮像装置は、該撮像装置の落下を検出する検出手段等を設ける必要がありコストが高くなる。また、前記沈胴レンズ鏡筒を収縮させることにより、落下により沈胴レンズ鏡筒が受けるダメージを最小限に抑えることができても、落下による衝撃そのものを緩和させることはできない。
【０００６】
本発明の目的は、上記従来例の問題点を解決し、特に、沈胴レンズ鏡筒の光軸方向に掛かる衝撃に対して有効に作用して、前記衝撃から沈胴レンズ鏡筒を効果的に保護することのできる撮像装置を提供することにある。
【課題を解決するための手段】
【０００７】
本発明は、沈胴レンズ鏡筒をレンズフレームを介してメインフレームに取付け、該メインフレームを外筐に取付けてなる沈胴レンズ鏡筒を備えた撮像装置において、前記レンズフレームと前記メインフレームの間にクッション材を介在させた。
【０００８】
クッション材を、前記沈胴レンズ鏡筒の光軸方向における前記レンズフレームと前記メインフレームの間に介在させた。前記レンズフレームを、前記メインフレームに前記沈胴レンズ鏡筒の光軸方向に変位可能に支持した。前記クッション材を、合成樹脂で板状に形成し、前記レンズフレームの前記メインフレームと対向する面に、前記沈胴レンズ鏡筒の光軸を中心に略同心位置に複数配置した。前記複数のクッション材の内の少なくとも一枚のクッション材を、前記メインフレームに直接、接触させると共に、前記クッション材によって、他のクッション材と前記メインフレームの間に他部材を挿入する隙間を形成した。前記沈胴レンズ鏡筒に、最外筒を回転可能に保ちつつ該最外筒の先端面を覆うリング状のカバーを設け、前記クッション材の弾性力で前記リング状のカバーを前記筐体の内面に押し付けた。前記クッション材を、高密度マイクロカプセルポリウレタンフォームで形成した。
【発明の効果】
【０００９】
本発明の沈胴レンズ鏡筒を備えた撮像装置にあっては、落下等によって撮像装置に衝撃が加わった場合に前記レンズフレームと前記メインフレームの間に介在させたクッション材によって前記衝撃を吸収して撮像装置を保護する。
【００１０】
特に、沈胴レンズ鏡筒の光軸方向において、前記レンズフレームと前記メインフレームの間にクッション材を介在させることにより、沈胴レンズ鏡筒を伸張させた状態で撮影中に誤って落とし、撮像装置が沈胴レンズ鏡筒の先端部側から地面に叩き付けられたような場合でも前記クッション材で落下時の衝撃を吸収して沈胴レンズ鏡筒を保護する。前記レンズフレームを、前記メインフレームに前記沈胴レンズ鏡筒の光軸方向に変位可能に支持したので、落下時等において前記レンズフレームが変位するのと同時に前記クッション材が作用し、これらの相乗効果により撮像装置を保護する。前記クッション材を、合成樹脂で板状に形成し、前記レンズフレームの前記メインフレームと対向する面に、前記沈胴レンズ鏡筒の光軸を中心に略同心位置に複数配置したので、クッション材による衝撃吸収作用を前記レンズフレームの全面に亘って略均一に発生させることができると共に、落下時の衝撃等によって、沈胴レンズ鏡筒が傾くのを防止する。前記複数のクッション材の内の少なくとも一枚のクッション材を、前記メインフレームに直接、接触させると共に、前記クッション材によって、残りのクッション材と前記メインフレームの間に他部材を挿入する隙間を形成したので、該隙間に他部材を挿入することにより、前記残りのクッション材の弾性により、前記他部材を前記メインフレームに押し付けることにより、前記他部材にクッション材のクッションをもたらすことができる。前記沈胴レンズ鏡筒に、最外筒を回転可能に保ちつつ該最外筒の先端面を覆うリング状のカバーを設けたので、前記クッション材の弾性力で前記リング状のカバーを前記筐体の内面に押し付けた場合でも、前記沈胴レンズ鏡筒の最外筒を回転させることができる。前記クッション材を、高密度マイクロカプセルポリウレタンフォームで形成したので、長期間に亘って衝撃吸収効果を維持させることができる。。
【発明を実施するための最良の形態】
【００１１】
以下、本発明の撮像装置を、（１）撮像装置全体の概略構成、（２）外筐の構成、（３）沈胴レンズ鏡筒の構成、（４）メインフレームの構成、（５）フラッシュ装置の構成、（６）ＡＦイルミネータの構成、（７）プレーバック用のボタンおよび該ボタンにより操作されるタクトスイッチの構成、（８）マルチコネクター収納部開閉用の蓋および蓋開閉機構の構成、（９）電子機器の組立方法の一例および作用、（１０）他の実施の形態、の順に説明する。
（１）撮像装置全体の概略構成、
図１は本発明の撮像装置としてのデジタルスチルカメラを第１の主面（正面）側から見た斜視図、図２は本発明のデジタルスチルカメラを第２の主面（裏面）側から見た斜視図、図３は本発明のデジタルスチルカメラをマルチコネクターを設けた第２の側面側から見た斜視図、図４は第２の側面側に設けられているマルチコネクターの蓋を開いた状態の斜視図、図５はデジタルスチルカメラを底面側から見た斜視図である。
【００１２】
図１に示すように、前記デジタルスチルカメラ１には、外筐（筐体）２の第１の主面２ａに臨んで沈胴式の沈胴レンズ鏡筒３と、フラッシュ装置４と、オートフォーカス用の補助光を発光させるためのＡＦイルミネータ５と、ＯＶＦ（オプティカルビューファンダー）６の対物側のレンズ６ａと、マイクロホン７と、が配置されている。また、図２に示すように、前記外筐２の第２の主面２ｂに臨んでＬＣＤ等の表示部（スクリーン）９と、ＯＶＦ６の接眼側のレンズ６ｂと、ＡＥ／ＡＦロックランプ／セルフタイマーランプ１０およびフラッシュチャージランプ／レコードランプ１１と、スピーカー１２と、プレーバック用のボタン１３と、モードダイヤル１４と、スクリーンディスプレースイッチ用のボタン１５と、メニューボタン１６と、コントロールボタン１７と、イメージサイズ／デリートボタン１８と、が配置されている。また、前記外筐２の上面２ｃに臨んでシャッターボタン１９と、ズームレバー２０と、パワーボタン２１と、が配置されている。前記外筐２の第１の側面２ｄに臨んでＤＣＩＮジャックカバー２２と、ストラップ取付部２３と、が配置されている。
【００１３】
また、図３に示すように、前記外筐２の第２の側面２ｅと前記第２の主面２ｂに跨る傾斜面２ｈに臨んでマルチコネクター収納部開閉用の第１の蓋（カバー）２４が設けられていて、該第１の蓋２４を開くと、図４に示すように、マルチコネクター２５が外部に臨む。
【００１４】
また、図５に示すように、前記外筐２の底面２ｆに臨んでバッテリー収納部２６と、メモリースティック等の記録媒体収納部２７と、これら収納部２６，２７を開閉する第２の蓋２８と、が設けられている。なお、図２に示すように、前記外筐２の第２の主面２ｂの上部は傾斜面２ｇになっていて、該傾斜面２ｇに前記ＡＥ／ＡＦロックランプ／セルフタイマーランプ１０と、フラッシュチャージランプ／レコードランプ１１と、スピーカー１２と、プレーバック用のボタン１３と、モードダイヤル１４と、が配置されている。また、図５３の模式図に示すように、沈胴レンズ鏡筒３に取付けたレンズフレーム１３３とメインフレーム８１の間にはクッション材１５１、１５２…が介在されていて、これらクッション材１５１、１５２…により沈胴レンズ鏡筒３等に掛かる衝撃Ｇを吸収し、沈胴レンズ鏡筒３等を保護する。
（２）外筐の構成、
図６に示すように、前記外筐２は、前記外筐２の第１の主面２ａおよび上，下面２ｃ，２ｆと第１，第２の側面２ｄ、２ｅの一部を形成する外筐フロント形成部４１と、前記外筐２の第２の主面２ｂおよび上，下面２ｃ，２ｆと第１，第２の側面２ｄ、２ｅの一部を形成する外筐リヤ形成部４２と、前記外筐２の上面２ｃの一部を形成する外筐トップ形成部４３と、前記外筐２の第１の側面２ｄの一部を形成する外筐第１側面形成部４４と、前記外筐２の第２の側面２ｅおよび前記外筐２の上，下面２ｃ，２ｆの一部を形成する外筐第２側面形成部４５と、からなっている。
【００１５】
前記外筐トップ形成部４３には、前記シャッターボタン１９と、ズームレバー２０と、パワーボタン２１と、が設けられている。前記外筐トップ形成部４３の下部にはフレキシブルプリント基板４６が組み付けられていて、該フレキシブルプリント基板４６から延びる第１のリード部４７の先端部には前記プレーバック用のボタン１３により操作されるタクトスイッチ４８が取付けられている。また、前記フレキシブルプリント基板４６から延びる第２のリード部４９の先端部には前記ＡＥ／ＡＦロックランプ／セルフタイマーランプ１０およびフラッシュチャージランプ／レコードランプ１１と、スピーカー１２が取付けられている。
【００１６】
前記外筐第１側面形成部４４には前記ストラップ取付部２３が設けられている。前記外筐第２側面形成部４５は第１〜第３の片４５ａ〜４５ｃにより略コ字状に形成されている。そして、前記外筐第２側面形成部４５の第３の片４５ｃと前記第２の蓋２８等により前記外筐２の下面２ｆが構成される。前記第２の蓋２８は、前記バッテリー収納部２６および記録媒体収納部２７の一側部に軸５０（図５参照）により回動開閉可能に取付けられている。
【００１７】
前記外筐フロント形成部４１は、アルミニュームやマグネシューム合金等の金属板によって形成されている。前記外筐フロント形成部４１は、前記沈胴レンズ鏡筒３が臨む略円形状の沈胴レンズ鏡筒用の窓部５１と、前記フラッシュ装置４が臨む略矩形状のフラッシュ装置用の窓部５２と、前記ＡＦイルミネータ５が臨む略円形状のＡＦイルミネータ用の窓部５３と、前記ＯＶＦ６の対物側のレンズ６ａが臨む略四角形状の窓部５４と、前記マイクロホン７へ音声を導入する音声導入用の複数の小孔５５を備えている。前記外筐フロント形成部４１の内面側には、図６に２点鎖線で示すように、合成樹脂製の第１の組付けサポート板５６が設けられている。
【００１８】
また、前記外筐リヤ形成部４２は、前記外筐フロント形成部４１と同様にアルミニュームやマグネシューム合金等の金属板によって形成されている。図１１に示すように、前記外筐リヤ形成部４２は、前記表示部（スクリーン）９を外部に臨ませる窓部６１と、前記ＯＶＦ６の接眼側のレンズ６ｂを臨ませる窓部６２と、前記ＡＥ／ＡＦロックランプ／セルフタイマーランプ１０を臨ませる窓部６３と、前記フラッシュチャージランプ／レコードランプ１１を臨ませる窓部６４と、前記スピーカー７へ音声を導入する音声導入用の複数の小孔６５と、前記プレーバック用のボタン１３を配置するためのプレーバック用ボタン孔６６と、前記モードダイヤル１４を配置するためのモードダイヤル配置孔６７と、前記スクリーンディスプレースイッチ用のボタン１５を配置するためのボタン配置孔６８と、前記メニューボタン１６を配置するためのボタン配置孔６９と、前記コントロールボタン１７を配置するためのボタン配置孔７０と、前記イメージサイズ／デリートボタン１８を配置するためのボタン配置孔７１と、を備えている。
【００１９】
前記外筐リヤ形成部４２の内面側の上部には、前記窓部６２と窓部６３の位置に前記ＯＶＦ６の接眼側のレンズ６ｂと前記ＡＥ／ＡＦロックランプ／セルフタイマーランプ１０をセットすると共に、前記音声導入用の小孔６５の位置に前記スピーカー７をセットする合成樹脂製の第２の組付けサポート板７２が設けられている。前記第２の組付けサポート板７２の一側部には弾性を有する一対のアーム７３，７４を介して前記プレーバック用のボタン１３が一体的に設けられている。
【００２０】
図１２に示すように、前記プレーバック用のボタン１３は、大径部（ベース部）１３ａと、該大径部１３ａ上に一体的に形成された小径部（被押圧部）１３ｂと、該小径部１３ｂの中央部に設けられたスイッチ押圧部１３ｃと、からなっている。前記大径部１３ａは、前記プレーバック用ボタン孔６６よりも大径に形成されていると共に、前記小径部１３ｂは、前記プレーバック用ボタン孔６６と略同径（やや小径）に形成されている。そして、前記小径部１３ｂが前記外筐リヤ形成部４２の内面側から前記プレーバック用ボタン孔６６に嵌合されている。
【００２１】
また、図１１に示すように、前記外筐リヤ形成部４２の内面側の一側部には、前記モードダイヤル配置孔６７、ボタン配置孔６８、ボタン配置孔６９、ボタン配置孔７０、ボタン配置孔７１の位置に、それぞれ前記モードダイヤル１４、スクリーンディスプレースイッチ用のボタン１５、メニューボタン１６、コントロールボタン１７、イメージサイズ／デリートボタン１８を合わせて配置するための合成樹脂製の第３の組付けサポート板７５が設けられている。また、前記外筐フロント形成部４１の内面側の他側部には、前記マルチコネクター収納部開閉用の第１の蓋２４が後に詳しく説明する蓋開閉機構９１により開閉回動可能に取付けられている。
【００２２】
図６に示すように、前記外筐フロント形成部４１と前記外筐リヤ形成部４２の間にはメインフレーム８１が組み付けられる。前記メインフレーム８１と前記外筐フロント形成部４１との間には前記バテリー収納部２６および記録媒体収納部２７と、前記沈胴レンズ鏡筒３と、マルチコンデンサ８２が配置される。前記マルチコンデンサ８２は、コンデンサホルダ８３によって支持される。前記バテリー収納部２６および記録媒体収納部２７と前記外筐フロント形成部４１との間にはシステム基板８４が配置される。
【００２３】
また、前記メインフレーム８１と前記外筐リヤ形成部４２の間には前記表示部９と、スイッチ基板８５と、前記モードダイヤル１４を組付けたブロック基板８６と、が配置される。また、前記バテリー収納部２６および記録媒体収納部２７の上部に前記外筐トップ形成部４３が組み付けられる。また、前記沈胴レンズ鏡筒３の上部には前記フラッシュ装置４とＡＦイルミネータ５とＯＶＦ６が取付けられる。なお、図１に示すように、前記外筐フロント形成部４１の表面には、エッジングにより凹凸模様３１が全面に亘って施されている。
【００２４】
図７は外筐フロント形成部４１の表面に施されたエッチング模様の拡大図である。
外筐フロント形成部４１に形成された食像（エッチング）である凹凸模様３１は複数の凹部３２及び凸部３３が連続的に配置された形態となっている。凹部３２及び凸部３３は既知のエッチング法によって形成すればよい。
【００２５】
凹部３２と凸部３３の設置面は同一形状に形成されている。前記設置面は菱形に形成されている。前記菱形は少なくとも横対角線の長さが縦対角線の長さよりも長く形成するとよい。例えば前記菱形は横対角線Ｘの長さ：縦対角線Ｙの長さ＝１．５〜２．５：１となるように形成される。より具体的には図８に示された菱形の形状のように略２：１に設定される。例えば横対角線Ｘの長さが０．８ｍｍの場合、縦対角線Ｙの長さは０．４ｍｍに設定される。横対角線Ｘの長さが１．０ｍｍの場合、縦対角線Ｙの長さは０．５ｍｍに設定される。また、凸部３３の高さは例えば５０〜８０μｍに設定される。以上のような寸法で凹部３２と凸部３３が形成されると、デジタルスチルカメラ１の美的外観が向上すると共に外筐フロント形成部４１の表面の摩擦抵抗が高まる。特に、デジタルスチルカメラ１本体に使用者の手が添えられたとき使用者の指が連続的に配置された複数の凸部３３に係止し易くなり、撮影時においてより一層確実にデジタルスチルカメラ１を保持しやすくなる。尚、凸部３３は四角柱状に形成されているが四角錘状に形成してもよい。
【００２６】
図９は外筐フロント形成部４１の表面に施されたのその他の形態を示した拡大図である。凹凸模様３４は複数の凹部３５及び凸部３６が連続的に配置されて形成されている。凹部３５及び凸部３６も既知のエッチング法によって形成すればよい。凹部３５及び凸部３６の設置面の形状は図９に示されたように同一形状の三角形に形成されている。図示された凹部３５の設置面は下に凸の三角形となっている一方で凸部３６は上に凸の三角形となっている。
【００２７】
凹部３５の設置面の形状と凸部３６の設置面の形状との組み合わせて形成される菱形は、凹凸模様３１を構成する凹部３２及び凸部３３の設置面の寸法と同様に、図８に示されたように、少なくとも横対角線Ｘの長さが縦対角線Ｙの長さよりも長く設定される。例えば、横対角線Ｘと縦対角線Ｙの長さの比率は、横対角線Ｘの長さ：縦対角線Ｙの長さ＝１．５〜２．５：１、より具体的には略２：１に設定される。例えば凹部３５と凸部３６の設置面の輪郭からなる菱形の横対角線Ｘの長さが０．８ｍｍの場合、縦対角線Ｙの長さは０．４ｍｍに設定される。横対角線Ｘの長さが１．０ｍｍの場合、縦対角線Ｙの長さは０．５ｍｍに設定される。また、凸部３６の高さは凸部３３と同様に例えば５０〜８０μｍに設置される。以上のような寸法で凹部３５と凸部３６が形成されると、デジタルスチルカメラ１の美的外観が向上すると共に外筐フロント形成部４１の表面の摩擦抵抗が高まる。特に、デジタルスチルカメラ１本体に使用者の手が添えられたとき使用者の指が連続的に配置された複数の凸部３６に係止し易くなり、撮影時においてより一層確実にデジタルスチルカメラ１を保持しやすくなる。尚、凸部３６は三角柱状に形成されているが三角錘状に形成してもよい。
【００２８】
また、エッチングによる凹凸模様はデジタルスチルカメラ１に具備されたモードダイヤル１４に施してもよい。モードダイヤル１４は図１０に示されたように円柱状に形成されている。モードダイヤル１４の端面３７には撮影モードを示すモード表示部３９が複数形成されている。モード表示部３９は端面３７の周縁に沿って配置されている。モードダイヤル１４の側面３８には凹凸模様４０が施されている。凹凸模様４０は、凹凸からなる模様であって、既知のエッチング処理法によって形成される。凹凸模様４０としては凹凸からなる唐草模様や月桂樹模様が例示される。
【００２９】
以上のようにデジタルスチルカメラ１によれば、外筐２の表面特に外筐フロント形成部４１に形成された食像であるエッチング模様（凹凸模様３１，３４）は複数の凹部と凸部とが連続的に配置されてなるので、デジタルスチルカメラ１の美的外観が向上し高級感を呈する。
【００３０】
また、外筐フロント形成部４１の表面の摩擦抵抗が高まり、撮影時にデジタルスチルカメラ１本体に手を添えるだけでデジタルスチルカメラ１を確実に保持することができる。したがって、デジタルスチルカメラ１の操作を確実に行なえ、良好な画像を撮ることができる。
【００３１】
特に、前記エッチング模様が凹凸模様３１，３４のように形成されると、デジタルスチルカメラ１の使用者の指が凸部３３に係止し易くなるので、より一層確実にデジタルスチルカメラ１を保持及び操作できるようになる。
【００３２】
そして、デジタルスチルカメラ１のモードダイヤル１４の側面３８にエッチングが施されて凹凸模様４０が形成されることで、モードダイヤル１４の美観が向上する。さらにはデジタルスチルカメラ１の高級感が高まる。また、モードダイヤル１４の側面３８の表面における摩擦抵抗が高まり、ダイヤル操作を確実に行なえる。  
（３）沈胴レンズ鏡筒の構成、
図１３に示すように、沈胴レンズ鏡筒３は、対物レンズを保護する一対の開閉羽根１２１，１２２からなるレンズカバー１２３等を設けた内筒１２４と、該内筒１２４を出没自在に組付けた外筒１２５と、該外筒１２５を出没自在に組付けた最外筒１２６と、該最外筒１２６の外周部を保持するホルダ１２７と、を備えている。前記最外筒１２６は、回転駆動機構１２８により回転駆動される。前記回転駆動機構１２８は、前記ホルダ１２７に設けられたモータ１２８ａと、図示を省略したギヤトレインを介して回転されるピニオン（図示省略）、該ピニオンが噛合している前記最外筒１２６の外周面に設けられたラック（図示省略）等で構成されていて、前記回転駆動機構１２８で前記最外筒１２６を一方向に回転させると前記外筒１２５および内筒１２４が前記外筐２の第１の主面２ａから突出し、前記最外筒１２６を他方向に回転させると前記外筒１２５および内筒１２４が前記外筐２の第１の主面２ａ内に収納される。
【００３３】
前記ホルダ１２７の上部側の一側部には前記ＯＶＦ６を取付けるＯＶＦ取付部１２９が設けられ、他側部には前記ＡＦイルミネータ５を取付けるＡＦイルミネータ取付部１３０が設けられている。前記ＯＶＦ取付部１２９にＯＶＦ６を取付けた後に前記ホルダ１２７の前面側には前記最外筒１２６の先端面を覆うリング状のカバー１３１が取付けられる。該カバー１３１は、沈胴レンズ鏡筒３を外筐２内に組み付けたときに、前記最外筒１２６の先端面が前記外筐２の内面、詳しくは前記外筐フロント形成部４１の内面に接触するのを防止して、前記最外筒１２６の円滑な回転を確保するものである。前記カバー１３１は、第１，第２の部分１３１ａ，１３１ｂにおいて、前記ホルダ１２７に止着され、第３の部分１３１ｃにおいては、前記ＯＶＦ６を介して前記ホルダ１２７に止着されている。前記最外筒１２６の外周面には一対のカム溝１３２ａ，１３２ｂが形成されている。これら一対のカム溝１３２ａ，１３２ｂは、カムフォロア等の連繋機構（図示省略）を介して前記ＯＶＦ６と連繋されていて、前記最外筒１２６の回動に連動させて前記ＯＶＦ６を操作する。
【００３４】
図１４に示すように、前記ホルダ１２７の背面側には金属製のレンズフレーム（鏡筒フレーム）１３３が取付けられている。該レンズフレーム１３３の上端部には前記フラッシュ装置４を取付けるためのフラッシュ装置取付部１３４が設けられている。前記フラッシュ装置取付部１３４は、前記レンズフレーム１３３の上端部を略直角に折り曲げた第１の折曲部１３５と、該第１の折曲部１３５の先端を更に上方に向けて略直角に折り曲げた第２の折曲部１３６と、によって断面略Ｌ字状に形成されている。前記第２の折曲部１３６の略中央部には切り欠き孔１３７が設けられていると共に、上端には湾曲部１３８が設けられている。また、レンズフレーム１３３の下端側には該レンズフレーム１３３を介して前記沈胴レンズ鏡筒３を前記外筐２内に位置決めするための被固定部１３９が設けられている。
【００３５】
図１５に示すように、前記レンズフレーム１３３は、複数のネジ１４０によって前記ホルダ１２７の背面に取付けられている。前記レンズフレーム１３３の一側部には、前記ホルダ１２７を挟むようにして複数の第１のアーム部１４１と第２のアーム１４２が一体的に折り曲げ形成されている。前記レンズフレーム１３３の背面１３３ａには、板状の第１，第２，第３のクッション材１５１，１５２，１５３が取付けられている。
【００３６】
前記第１のクッション材１５１は、前記第１のアーム部１４１の近傍に前記レンズフレーム１３３の背面１３３ａから突出した状態で取付けられている。また、前記第２のクッション材１５２は、前記レンズフレーム１３３の背面１３３ａの下端部の略中央部に前記レンズフレーム１３３の背面１３３ａから突出した状態で取付けられている。また、前記第３のクッション材１５３は、前記フラッシュ装置取付部１３４の近傍に設けた凹部１５４に取付けられていて、前記背面１３３ａに対して非突出状態に取付けられている。前記第１〜第３のクッション材１５１〜１５３は、弾性や耐久性に優れた合成樹脂、例えば高密度マイクロカプセルポリウレタンフォーム、例えばエンロン（商標名）で形成されている。
【００３７】
前記沈胴レンズ鏡筒３は、前記第１，第２，第３のクッション材１５１，１５２，１５３を介して、次の項で説明するメインフレーム８１によって、前記沈胴レンズ鏡筒３の最外筒１２６の先端面を覆うリング状のカバー１３１を前記外筐フロント形成部４１の内面側に所定の圧力で押し付けた状態で取付けられて、外部から衝撃が加わった場合に前記第１，第２，第３のクッション材１５１，１５２，１５３のクッション効果によって、前記衝撃を吸収して沈胴レンズ鏡筒３等を保護する。
（４）メインフレームの構成、
図１６，図１７に示すように、前記メインフレーム８１は、所定の形状に打ち抜いた金属板にプレス加工を施して所定の形状に折り曲げることにより形成されている。前記メインフレーム８１は、略中央の段差部２３１を境にしてバッテリー収納部取付部２３２と、レンズ鏡筒取付部２３３と、に区画されていて、図１８に示すように、前記バッテリー収納部取付部２３２の前面（外筐フロント形成部４１と対向する面）側に前記バッテリー収納部２６および記録媒体収納部２７が設けられ（記録媒体収納部２７はバッテリー収納部２６の外面側に形成される）、これらバッテリー収納部２６および記録媒体収納部２７の下端側にはこれら収納部の開口部を開閉する第２の蓋２８が取り付けられている。また、図１９に示すように、前記バッテリー収納部取付部２３２の後面（外筐リヤ形成部４２と対向する面）側に合成樹脂製の第４の組付けサポート板２３４が設けられている。該第４の組付けサポート板２３４の上端部には前記タクトスイッチ４８を取付けるためのタクトスイッチ取付部２２２が一体的に形成されている。
【００３８】
図１６，図１７に示すように、前記レンズ鏡筒取付部２３３の上端部には、傾斜状の折曲部２３５が設けられている。前記折曲部２３５の両側部には略三角形状の一対のアーム部２３６，２３７が設けられていると共に、これら一対のアーム部２３６，２３７の対向面には長孔状のボス受孔２３８が形成されている。また、前記レンズ鏡筒取付部２３３の側縁には、前記バッテリー収納部２６の一側面２６ａと平行な第１の側壁２３９が設けられている。前記第１の側壁２３９の先端には、前記レンズ鏡筒取付部２３３と平行な第２の側壁２４０が設けられていると共に、該第２の側壁２４０の下端部には、メインフレーム８１を前記外筐フロント形成部４１にネジ等で結合するための第１の結合部２４１が設けられている。また、前記レンズ鏡筒取付部２３３の下縁には、該レンズ鏡筒取付部２３３に対して直角な第３の側壁（底壁）２４２が設けられていると共に、該第３の側壁２４２の一端部には、メインフレーム８１を前記外筐リヤ形成部４２にネジ等で結合するための第２の結合部２４３が設けられている。
【００３９】
図１８，図１９に示すように、前記レンズ鏡筒取付部２３３の前面側には、前記一対のアーム部２３６，２３７と、前記バッテリー収納部２６の一側面２６ａと、前記第１の側壁２３９と、前記第３の側壁２４２等によって、略四角形状のレンズ鏡筒挿入空間が形成される。また、前記レンズ鏡筒取付部２３３の一側部には前記バッテリー収納部２６の外側に位置する第４の側壁２４４が設けられている。前記第４の側壁２４４の先端部の両側には、前記第１の結合部２４１と同様にメインフレーム８１を前記外筐リヤ形成部４１にネジ等で結合するための第３，第４の結合部２４５，２４６が設けられている。
【００４０】
そして、図２０，図２１に示すように、前記メインフレーム８１の前面側に設けたレンズ鏡筒挿入空間内に、レンズ鏡筒３の背面側を挿入することにより、前記レンズ鏡筒３は、メインフレーム８１に光軸方向に移動可能に組み付けられる。
（５）フラッシュ装置の構成、
図２２，図２３に示すように、フラッシュ装置４は、キセノン管等の発光管１５８と、リフレクタ（反射傘）１５９と、これら発光管１５８、リフレクタ１５９を収納した透明な筐体１６０と、を備えている。前記筐体１６０は、先端部に前記外筐フロント形成部４１に設けたフラッシュ装置用の窓部（窓孔）５２内に嵌合されるレンズを兼ねた位置決め用の嵌合部１６１と、該嵌合部１６１を前記窓部５２内に嵌合したときに前記外筐フロント形成部４１の内面に当接する当接面１６２と、を備えている。前記嵌合部１６１は、前記外筐フロント形成部４１に設けたフラッシュ装置用の窓部５２と略同じ大きさ、正確に言えば該フラッシュ装置用の窓部５２よりも若干小さ目に形成されていて、該窓部５２内に隙間無く嵌合される。また、前記当接面１６２は、当然のことながら前記嵌合部１６１よりも若干大きめに形成されている。そして、図２３に示すように、前記嵌合部１６１を前記フラッシュ装置用の窓部５２内に嵌合し、前記当接面１６２を前記外筐フロント形成部４１の内面４１ｂに押し付けることにより、フラッシュ装置４の光軸Ｌ１は、レンズ鏡筒３の光軸Ｌ２と一致した状態に位置決めされる。
【００４１】
図２４に示すように、前記フラッシュ装置４の筐体１６０の背面１６０ａ側の下端には、該フラッシュ装置４を前記レンズフレーム１３３のフラッシュ装置取付部１３４に取付けるための被取付部１７１が設けられている。前記被取付部１７１は、前記筐体１６０の背面１６０ａに対して略直角に突出している第１の突出部１７２と、前記筐体１６０の背面１６０ａに対して略平行に下方に向けて突出している第２の突出部１７３と、前記第１の突出部１７２の前記筐体１６０の背面１６０ａ寄りに該背面１６０ａと略平行に設けられた長孔１７４と、前記背面１６０ａの略中央部で、かつ前記長孔１７４の上方に設けられた突起１７５と、該突起１７５を挟むようにして前記筐体１６０の背面１６０ａの両側部に設けられた一対のアーム部１７６，１７７と、これら一対のアーム部１７６，１７７の対向する内面に設けられた軸状のボス部１７８と、からなっている。
【００４２】
図２５に示すように、前記フラッシュ装置４は、前記長孔１７４に前記レンズフレーム１３３のフラッシュ装置取付部１３４の第２折曲部１３６を挿入し、該第２折曲部１３６に設けた切欠孔１３７に前記フラッシュ装置４の筐体１６０の背面１６０ａに設けた突起１７５を挿入すると共に、前記第２の突出部１７３を前記レンズフレーム１３３の背面１３３ａに取付けた第３のクッション材１５３の背面に接触させた状態で前記フラッシュ装置取付部１３４の第１の折曲部１３５（図１４参照）上に載置される。前記長孔１７４の内周面と前記第２の突出部１７３の外周面の間、および前記切欠孔１３７の内周面と前記突起１７５の間には適宜の遊び間隙δが設定されている。そして、前記遊び間隙δによって、前記フラッシュ装置４を前記レンズフレーム１３３に対して変位可能な非固定状態（フローティング状態、揺動可能な状態）に取付けることにより、前記フラッシュ装置４の嵌合部１６１を前記外筐フロント形成部４１に設けたフラッシュ装置用の窓部５２内に嵌合し易いものにしている。（前記フラッシュ装置４を前記レンズフレーム１３３に対してリジットに取付けてしまうと、取付け誤差等によって前記嵌合部１６１をフラッシュ装置用の窓部５２に嵌合するのが困難になる場合が多々発生する）。前記レンズ鏡筒３は、前記レンズフレーム１３３、前記第１，第２，第３のクッション材１５１，１５２，１５３、前記フラッシュ装置４、次に説明するＡＦイルミネータ５等を組付けた後に、前記メインフレーム８１に組み付ける。
【００４３】
前記メインフレーム８１に組み付けると、図２６に示すように、前記レンズ鏡筒取付部２３３の上端部に設けられている一対のアーム部２３６，２３７の長孔状のボス受孔２３８に、前記フラッシュ装置４の背面１６２ｂの一対のアーム部１７６，１７７の軸状のボス部１７８（図２４参照）が所定の遊び間隙をもって嵌合されて、前記フラッシュ装置４が前記レンズ鏡筒取付部２３３の折曲部２３５に前記遊び間隙の範囲内で移動可能に前記メインフレーム８１に支持された状態になる。  
（６）ＡＦイルミネータの構成、
ＡＦイルミネータ５は、赤外線等のフォーカス補助光により暗い場所においてもピント合わせを容易に行なうためのものである。図２７に示すように、ＡＦイルミネータ５は、略円形状の補助光発光部１８１と、略方形状の基板部１８２と、を備えている。前記ＡＦイルミネータ５は、ＡＦイルミネータホルダ１８３を介して前記レンズ鏡筒ホルダ１２７の一側部に設けたＡＦイルミネータ取付部１３０に取付けられている。
【００４４】
図２８は、前記ＡＦイルミネータ５を搭載したフレキシブルプリント基板１８４の展開図である。前記フレキシブルプリント基板１８４は、略矩形状の基板主部１８５と、該基板主部１８５から延びる第１，第２，第３の分岐部１８６，１８７，１８８を備えている。前記第１の分岐部１８６の先端部にはイルミネータ搭載部１８９と、前記ＡＦイルミネータ５の基板部１８２を前記ＡＦイルミネータホルダ１８３の内面に押し付けるバネ力を発生させるための被折曲部１９０が設けられている。また、前記第２の分岐部１８７の先端部には前記システム基板８４に接続するためのコネクタ１９１が設けられ、前記第３の分岐部１８８の先端部には前記マルチコンデンサ８２に接続するためのコネクタ１９２が設けられている。また、前記イルミネータ搭載部１８９の一側部には前記ＡＦイルミネータホルダ１８３内に収容した前記ＡＦイルミネータ５が前記ＡＦイルミネータホルダ１８３から抜け出るのを防止する一対の脱落防止用の突部１９３，１９４が設けられている。前記ＡＦイルミネータ５は、前記フレキシブルプリント基板１８４を図２９に示すように折り曲げた状態で前記ＡＦイルミネータホルダ１８３に組み付けられる。
【００４５】
前記ＡＦイルミネータホルダ１８３は、前記イルミネータ搭載部１８９に搭載されたＡＦイルミネータ５を挿入するイルミネータ挿入部２０１と、該イルミネータ挿入部２０１を前記レンズ鏡筒ホルダ１２７のＡＦイルミネータ取付部１３０に取付ける結合部２０２と、からなっている。
【００４６】
図３０に拡大して示すように、前記イルミネータ挿入部２０１は、背面板２０３と、前面板２０４と、を備えていて、前記背面板２０３と前面板２０４の間に前記ＡＦイルミネータ５を挿入すると、図３１に示すように、前記ＡＦイルミネータ５の基板部１８２が背面板２０３と前面板２０４の間に挟まれ、前記補助光発光部１８１が前面板２０４に設けた長孔２０５内に挿入された状態でＡＦイルミネータ５がイルミネータ挿入部２０１に取付けられる。
【００４７】
ＡＦイルミネータ５がイルミネータ挿入部２０１内に完全に挿入された状態になると前記フレキシブルプリント基板１８４に設けた脱落防止用の突部１９３，１９４が前記イルミネータ挿入部２０１に設けたストッパ突起２０６，２０７に係合してＡＦイルミネータ５がイルミネータ挿入部２０１から脱落するのを防止する。
【００４８】
図３２に示すように、前記イルミネータ搭載部１８９に連続して設けられた被折曲部１９０は、略Ｕ字状に折り返された状態で前記イルミネータ搭載部１８９と前記背面板２０３の間に介在されて、前記折り曲げ部によって発生する弾性力（復元力）によって、前記ＡＦイルミネータ５の基板部１８２を前記イルミネータ挿入部２０１の前面板２０４の内面に押し付けている。なお、前記被折曲部１９０は、ＡＦイルミネータ５をイルミネータ挿入部２０１に挿入する前に、予めＵ字状に折り返しておいても、或いは図３２に２点鎖線で示すように、前記被折曲部１９０を伸ばした侭の状態で、前記ＡＦイルミネータ５を前記イルミネータ挿入部２０１に挿入した後に、前記被折曲部１９０を略Ｕ字状に折り返して前記イルミネータ搭載部１８９と前記背面板２０３の間に挿入してもよい。
【００４９】
なお、図３１に示すように、前記結合部２０２は、台座部２１１と、該台座部２１１の下面側に設けられた第１，第２，第３の係合凸部２１２，２１３，２１４と、を備えていて、前記第１，第２，第３の係合凸部２１２，２１３，２１４を前記ＡＦイルミネータ取付部１３０に設けた第１，第２，第３の係合凹部２１５，２１６，２１７に嵌合させることにより前記ＡＦイルミネータ取付部１３０に着脱可能に組み付けられる。
（７）プレーバック用のボタンにより操作されるタクトスイッチの構成、
図２に示すように、前記外筐２の第２の主面２ｂを構成する外筐リヤ形成部４２の傾斜面２ｇには、プレーバック用のボタン１３が配置されている。前記プレーバック用のボタン１３は、図１１に示したように、前記外筐フロント形成部４１の内面に取付けられた合成樹脂の第２の組付けサポート板７２に一対のアーム７３，７４を介して一体的に形成されている。図３３に示すように、前記プレーバック用のボタン１３の内側にはタクトスイッチ４８が配置されている。
【００５０】
図３４に示すように、前記タクトスイッチ４８は、前記外筐トップ形成部４３の下部に配置されたフレキシブルプリント基板４６から伸びる第１のリード部４７の先端部に設けたスイッチ搭載部２２０に取り付けられている。前記タクトスイッチ４８は、中央部の可撓性を有する膨出部４８ａを前記プレーバック用のボタン１３のスイッチ押圧部１３ｃで押圧されて接点が接触状態或いは非接触状態になる。
【００５１】
前記タクトスイッチ４８の底面には硬質プラスチック等の硬い板材で作られた略四角形状の支持基板２２１が取付けられている。前記タクトスイッチ４８は、前記支持基板２２１を介して前記メインフレーム８１に取付けた第４の組付けサポート板２３４に設けたタクトスイッチ取付部２２２に取付けられる。
【００５２】
前記支持基板２２１の下端の略中央部には位置決め用の凸部２２３が設けられている。一方、前記タクトスイッチ取付部２２２の下部の台座部２２２ａには前記位置決め用の凸部２２３がルーズに係合する位置決め用の凹部２２４が形成されている。前記位置決め用の凸部２２３を前記位置決め用の凹部２２４に挿入すると前記台座２２２ａ上に前記支持基板２２１が載った状態になる。
【００５３】
前記タクトスイッチ取付部２２２を挟んで前記位置決め用の凹部２２４と略対向する位置には前記第１のリード部４７を湾曲させた状態に保持するリード保持部２２５が設けられている。
【００５４】
図３５に示すように、前記リード保持部２２５は、前記外筐トップ形成部４３の側縁の内側に略三角形状の複数の突起２２６を介してリード抑え板２２７を設けることにより形成されて、前記リード抑え板２２７によって前記第１のリード部４７の湾曲させた部分を押圧して保持するようになっている。
【００５５】
そして、図３６に示すように、前記外筐トップ形成部４３を前記第４の組付けサポート板２３４の上端側に組付けて、前記支持基板２２１に設けた位置決め用の凸部２２３を前記タクトスイッチ取付部２２２に設けた位置決め用の凹部２２４に挿入するとともに、前記第１のリード部４７の上端の湾曲させた部分によって発生するバネ力（弾性）によって、前記前記支持基板２２１をタクトスイッチ取付部２２２に押し付けることにより前記タクトスイッチ４８がタクトスイッチ取付部２２２上に仮り止めされる。そして、図３３に示すように、外筐リヤ形成部４２を組付けることにより、該外筐リヤ形成部４２に設けられているスイッチ位置決め部材により前記前記タクトスイッチ４８は最終的に位置決めされて、前記プレーバック用のボタン１３の中央のスイッチ押圧部１３ｃの位置と、前記タクトスイッチ４８の中央の被押圧部４８ａの位置を確実に合致させる。
（８）マルチコネクター収納部開閉用の蓋（第１の蓋）および蓋開閉機構の構成、
図４に示すように、マルチコネクター収納部開閉用の第１の蓋２４は、前記外筐２を構成する外筐リヤ形成部４２の第２の側面２ｅと前記第２の主面２ｂに跨る傾斜面２ｈに臨んでカバー開閉機構９１により回動開閉可能に取付けられていて、該第１の蓋２４を開くことにより、マルチコネクター２５を露出させ、図３に示すように、閉じることにより前記マルチコネクター２５を隠蔽、保護する。
【００５６】
図３７，図３８に示すように、蓋開閉機構９１は、前記第１の蓋２４を設けた開閉部（回動部）９２と、前記外筐リヤ形成部４２に取付けられていて、前記開閉部９２を開閉回動可能に支持する固定部９３と、前記第１の蓋２４を閉じた状態或いは開いた状態に維持するためのトグルバネ（コイルスプリング）９４と、を備えている。
【００５７】
前記開閉部９２は、開閉のための指掛け部９５を設けたベース部９６と、該ベース部９６の一側部と他側部に設けられた第１，第２のアーム部９７，９８と、によって平面視略コ状に形成されている。前記第１，第２のアーム部９７，９８の先端部の外側面には、次に説明する固定部９３に設けられた円弧状の第１，第２の軸受部１０６，１０７に挿入する第１，第２の軸部（ボス状の突部）９９，１００が設けられている。前記第１の軸部９９の先端面には前記トグルバネ９４の一端部９４ａを挿入、係止する第１のバネ係止孔１０１が設けられている。
【００５８】
また、前記固定部９３は、第１の側壁部１０２と、該第１の側壁部１０２の一側部と他側部に設けられた第１，第２の側壁部１０３，１０４と、上面側壁部１０５と、によって平面視略コ状に形成されていて、前記外筐リヤ形成部４２の内部に取り付けられている。
【００５９】
前記第１，第２の側壁部１０３，１０４には、前記第１，第２の軸部９９，１００を挿入する円弧状の第１，第２の軸受部１０６，１０７が設けられているとともに、前記第１の側壁部１０３には前記トグルバネ９４の他端部９４ｂを係止する第２のバネ係止孔１０８が設けられている。図４１に示すように、前記第１，第２の軸受部１０６，１０７は、前記第１の蓋２４の外側で、且つ該第１の蓋２４の外周縁部（前記軸部９９，１００側で、且つこれら軸部９９，１００と平行方向の外周縁部）２４ａの近傍に位置する仮想軸Ｈを中心とする円弧状に形成されている。また、図４２に示すように、第１，第２のアーム部９７，９８および第１，第２の軸部９９，１００も、前記第１，第２の軸受部１０６，１０７と同様に仮想軸Ｈを中心とする円弧状に形成されている。また、前記上面側壁部１０５前端側の下面の両側部には前記第１，第２のアーム部９７，９８の円弧状の上面９７ａ，９８ａに接触する第１，第２のアーム上面ガイド部１０９，１１０が設けられている。また、前記第１，第２の側壁部１０３，１０４の内面には前記第１，第２のアーム部９７，９８の円弧状の下面９７ｂ，９８ｂに接触する第１，第２のアーム下面ガイド部１１１，１１２が設けられている。
【００６０】
前記開閉部９２は、前記第１，第２のアーム部９７，９８の上，下面を前記第１，第２のアーム上面ガイド部１０９，１１０と前記第１，第２のアーム下面ガイド部１１１，１１２で挟み、かつ前記第１，第２の軸部９９，１００を前記円弧状の第１，第２の軸受部１０６，１０７に挿入した状態で前記固定部９３に回動開閉可能に組み付けられる。また、図４４に示すように、前記トグルバネ９４の一端部９４ａは、前記開閉部９２の第１の軸部９９に設けた第１のバネ係止孔１０１に挿入係止され、前記トグルバネ９４の他端部９４ｂは、図４３に示すように、前記固定部９３の第２の側壁部１０３に設けた第２のバネ係止孔１０８に係止されている。
【００６１】
次に、前記カバー開閉機構９１の作用について説明する。前記第１の蓋２４を閉じた状態においては、図４２に示すように、前記第１の蓋２４は、前記トグルバネ９４のバネ力で前記開閉部９２のベース部９６が前記固定部９３の第１，第２のアーム下面ガイド部１１１，１１２の一側部に押し付けられて、閉じた状態に維持される。この状態において、前記軸部９９，１００と平行方向の第１の蓋２４の外周縁部２４ａは、前記マルチコネクター収納部の開口部の内周縁部２ｊに限りなく接近し略接触した状態になっている。
【００６２】
この状態から前記指掛け部９５に指先を掛けるなどして、前記開閉部９２を矢印方向に持ち上げると、図４５，図４６に示すように、前記第１，第２の軸部９９，１００は、前記円弧状の第１，第２の軸受部１０６，１０７内を、これら円弧状の軸受部１０６，１０７の他端側に向けて移動すると共に、前記第１の軸部９９に設けた第１のバネ係止部１０１に一端部９４ａを係合された前記トグルバネ９４は、前記第１の側壁部１０３に設けた第２のバネ係止孔１０８の係止された他端部９４ｂを中心にして倒れるように回動して、バネ力Ｆの作用する方向を変えて行く。そして、第１，第２の軸部９９，１００が前記円弧状の第１，第２の軸受部１０６，１０７の端部近傍に移動してくると、前記トグルバネ９４のバネ力Ｆで前記第１，第２の軸部９９，１００を前記円弧状の第１，第２の軸受部１０６，１０７の端部１０６ａ，１０７ａに押し付けて前記第１の蓋２４を開いた状態に維持する。前記第１の蓋２４を開いた状態においては、図４７に示すように、第１，第２の軸部９９，１００の近傍の上，下面が前記第１，第２のアーム上面ガイド部１０３，１１０と前記第１，第２のアーム下面ガイド部１１１，１１２で挟まれた状態になっている。
（９）撮像装置の組立方法の一例および撮像装置の作用、
図２５に示すように、レンズ鏡筒３のホルダ１２７の上側部にＯＶＦ６を取付け、前記ホルダ１２７の背面にレンズフレーム１３３を取付け、該レンズフレーム１３３の背面に前記第１〜第３のクッション材１５１〜１５３を取付けると共に、前記レンズフレーム１３３の上端に設けたフラッシュ装置取付部１３４にフラッシュ装置４を取付け、且つ前記レンズ鏡筒３のホルダ１２７に設けたＡＦイルミネータ取付部１３０にＡＦイルミネータ５（図２７参照）を取付けたレンズ鏡筒３の背面側を、前記レンズ鏡筒取付部２３３の前面側に設けた前記レンズ鏡筒挿入空間内に挿入すると、図２６に示すように、前記レンズ鏡筒取付部２３３の上端部に設けられている一対のアーム部２３６，２３７の長孔状のボス受孔２３８に、前記フラッシュ装置４の筐体１６０の背面１６０ａ側の一対のアーム部１７６，１７７の軸状のボス部１７８（図２４参照）が所定の遊び間隙をもって嵌合されて、前記フラッシュ装置４が前記レンズ鏡筒取付部２３３の折曲部２３５に前記遊び間隙の範囲内で移動可能に、所謂フローティング状態でメインフレーム８１乃至前記レンズフレーム１３３のフラッシュ装置取付部１３４に支持された状態になる。
【００６３】
図４８は図２１のＡ−Ａ断面図であり、前記レンズフレーム１３３の背面に取付けられた前記第１，第２のクッション材１５１，１５２は、前記メインフレーム８１のレンズ鏡筒取付部２３３の内面に接触すると共に、第３のクッション材１５３は、前記フラッシュ装置４の筐体１６０の背面１６０ａ側に設けた第２の突出部１７３を介してレンズ鏡筒取付部２３３の内面に接触する。また、前記メインフレーム８１に設けた第２の結合部２４３上に前記レンズフレーム１３３に設けた被固定部１３９が重なる。このように、前記メインフレーム８１にレンズ鏡筒３を組付けた状態で前記レンズ鏡筒３の前面側に前記外筐フロント形成部４１を重ね合わせる。
【００６４】
図４９，図５０に示すように、前記外筐フロント形成部４１の内面に取付けた第１の組付けサポート板５６には、前記レンズフレーム１３３に設けた第１のアーム部１４１が係合する縦長の長方形状の筒型のアーム係合部２５１が設けられている。そして、レンズ鏡筒３の前面側に前記外筐フロント形成部４１を重ね合わせると、図５０に示すように、前記第１のアーム部１４１の先端のスリット１４１ａよりも上の部分１４１ｂが前記アーム係合部２５１内に侵入すると共に、前記スリット１４１ａ内に前記アーム係合部２５１の下端部が侵入し、該下端部が前記スリット１４１ａよりも上の部分１４１ｂと下の部分１４１ｃの間で挟まれた状態になり、前記レンズ鏡筒３と外筐フロント形成部４１の位置決めが為され、前記メインフレーム８１に設けた第１の結合部２４１が前記外筐フロント形成部４１の下縁部の内周面４１ａに重なり合って、該下縁部の内周面４１ａに設けたネジ孔２６１の位置と前記第１の結合部２４１に設けたネジ孔２６２の位置とが合致する。そして、ネジにより第１の結合部２４１は、前記外筐フロント形成部４１の前記下縁部の内周面４１ａに結合される。また、前記メインフレーム８１に設けた第３，第４の結合部２４５，２４６は、前記外筐フロント形成部４１の側縁部の内周面に重なり合って、該側縁部の内周面に設けたネジ孔２６３，２６４の位置と前記第３，第４の結合部２４５，２４６に設けたネジ孔２６５，２６６の位置とが合致し、ネジにより第３，第４の結合部２４５，２４６は、前記外筐フロント形成部４１の側縁部に結合される。
【００６５】
レンズ鏡筒３の前面側に外筐フロント形成部４１を取付ける際において、図５１および図２３に示すように、前記メインフレーム８１に前記第１〜第３のクッション材１５１〜１５３を介して所謂フローティング状態（非固定状態）に支持されている沈胴レンズ鏡筒３の外筒１２５は、前記外筐フロント形成部４１に設けたレンズ鏡筒用の窓部５１の位置に応じて変位して該窓部５１に挿入され、前記レンズ鏡筒３の最外筒１２６の先端面を覆うリング状のカバー１３１が前記外筐フロント形成部４１の内面側に所定の圧力で押し付けた状態になる。
【００６６】
一方、フラッシュ装置４の嵌合部１６１は、前記外筐フロント形成部４１の内面に設けた挿入ガイド面２５２等によりガイトされながら外筐フロント形成部４１に設けたフラッシュ装置用の窓部５２に円滑に導入され略隙間無く嵌合される共に、前記当接面１６２が前記外筐フロント形成部４１の内面４１ａに押し付けられて、フラッシュ装置４の光軸Ｌ１とレンズ鏡筒３の光軸Ｌ２が一致した状態に位置決めされる。前記レンズ鏡筒３をレンズ鏡筒用の窓部５１に挿入するとともに、前記フラッシュ装置４の嵌合部１６１をフラッシュ装置用の窓部５２に挿入する際に前記レンズフレーム１３３の背面に配置した第３のクッション材１５３が撓むなどして有効に作用して前記レンズ鏡筒３のレンズ鏡筒用の窓部５１への挿入および前記フラッシュ装置４の嵌合部１６１のフラッシュ装置用の窓部５２への挿入を補助する。前述したように、フラッシュ装置４は、レンズフレーム１３３のフラッシュ装置取付部１３４に非固定状態（フローティング状態）に所謂仮り止めされた状態で取付けられているので、前記挿入ガイド面２５２等によりガイトされながら円滑に前記フラッシュ装置用の窓部５２に挿入される。そして、前記レンズ鏡筒３の外筒１２６の前端面を覆うリング状のカバー１３１が前記外筐フロント形成部４１の内面４１ｂに接触する。
【００６７】
次に、図５２に示すように、前記メインフレーム８１の背面側に表示部９やモードダイヤル１４、スクリーンディスプレースイッチ用のボタン１５等を取付けると共に、前記メインフレーム８１の周縁部に、前記外筐第１側面形成部４４、外筐第２側面形成部４５、前記外筐トップ形成部４３を組付け、該外筐トップ形成部４３に設けたＡＥ／ＡＦロックランプ／セルフタイマーランプ１０およびフラッシュチャージランプ／レコードランプ１１やスピーカー１２、タクトスイッチ４８を所定の位置にセットする。
【００６８】
前記タクトスイッチ４８は、図３４に示すように、前記支持基板２２１の下端に設けた位置決め用の凸部２２３を前記タクトスイッチ取付部２２２に設けた位置決め用の凹部２２４に挿入するとともに、前記第１のリード部４７の湾曲部によって発生するバネ力（弾性）によって、前記前記支持基板２２１をタクトスイッチ取付部２２２に押し付けることにより前記タクトスイッチ４８がタクトスイッチ取付部２２２上に仮り止めされた状態になる。このようにして前記タクトスイッチ４８がタクトスイッチ取付部２２２上に仮り止めした後に、図３３に示すように、外筐リヤ形成部４２を組付けることにより、該外筐リヤ形成部４２に設けられているスイッチ位置決め部材により前記前記タクトスイッチ４８は最終的に位置決めされて、前記プレーバック用のボタン１３の中央のスイッチ押圧部１３ｃの位置と、前記タクトスイッチ４８の中央の被押圧部４８ａの位置を確実に合致させ、電子機器としてのデジタルスチルカメラが組み立てられる。なお、図面の一部には、部品の一部を省略して作図したものがある。また、各図面間において曲面や傾斜面、円筒面等については曲率半径や傾斜角度等に若干の相違があったとしてもそれは作図上のものであって同一符合部分は同一の部分を示す。また、断面図において、一部、ハッチング線を省略した。
（１０）他の実施の形態
上記実施の形態においては、撮像装置１としてデジタルスチルカメラを例にとって説明したが撮像装置は、デジタルスチルカメラに限らず銀塩フィルムを用いるスチルカメラ、デジタルビデオカメラであってもよい。また、上記実施の形態においては、マルチコネクタ収納部の開口部を開閉する第１の蓋２４を前記蓋開閉機構９１により開閉する場合を示したが、バッテリー収納部を開閉する第２の蓋２８等に用いてもよい。
【図面の簡単な説明】
【００６９】
【図１】撮像装置を第１の主面（正面）側から見た斜視図。
【図２】撮像装置を第２の主面（背面）側から見た斜視図。
【図３】撮像装置を第２の側面側から見た斜視図。
【図４】第２の側面側に設けられているマルチコネクター用の蓋を開いた状態の斜視図。
【図５】撮像装置を第２の底面側から見た斜視図。
【図６】撮像装置の分解斜視図。
【図７】外筐フロント形成部の表面に施された模様の拡大図。
【図８】模様を構成する凹部と凸部の形状を示した説明図。
【図９】模様のその他の形態を示した拡大図。
【図１０】モードダイヤルの斜視図。
【図１１】外筐フロント形成部の内面図。
【図１２】プレーバック用のボタン部分の断面図。
【図１３】沈胴レンズ鏡筒の斜視図。
【図１４】レンズフレームを取付けた沈胴レンズ鏡筒の斜視図。
【図１５】レンズフレームを取付けた沈胴レンズ鏡筒の背面側の斜視図。
【図１６】メインフレームを前面側から見た斜視図。
【図１７】メインフレームを背面側から見た斜視図。
【図１８】バッテリー収納部等を取付けたメインフレームを前面側から見た斜視図。
【図１９】バッテリー収納部等を取付けたメインフレームを背面側から見た斜視図。
【図２０】メインフレームに沈胴レンズ鏡筒を組付ける前の状態の斜視図。
【図２１】メインフレームに沈胴レンズ鏡筒を組付けた後の状態の斜視図。
【図２２】フラッシュ装置の斜視図。
【図２３】フラッシュ装置を取付けた状態の断面図。
【図２４】フラッシュ装置の背面側の斜視図。
【図２５】フラッシュ装置を取付けた沈胴レンズ鏡筒の背面側の斜視図。
【図２６】フラッシュ装置のボス部とメインフレームのボス受け孔の係合状態を示す断面図。
【図２７】ＡＦイルミネータを取付けた沈胴レンズ鏡筒の斜視図。
【図２８】タクトスイッチを取付けたフレキシブルプリント基板の展開図。
【図２９】フレキシブルプリント基板を所定の形状に折り曲げた状態の斜視図。
【図３０】ＡＦイルミネータをホルダに取付ける前の状態の斜視図。
【図３１】ＡＦイルミネータをホルダに取付けた後の状態の斜視図。
【図３２】ＡＦイルミネータをホルダに取付けた後の状態の断面図。
【図３３】プレーバック用のボタンとタクトスイッチの関係を示す断面図。
【図３４】タクトスイッチをタクトスイッチ取付け部に取付ける前の状態の斜視図。
【図３５】滑り止め部の拡大斜視図。
【図３６】タクトスイッチをタクトスイッチ取付け部に取付けた後の断面図。
【図３７】蓋開閉機構の分解斜視図。
【図３８】蓋開閉機構の分解斜視図。
【図３９】開閉部にトグルバネを取付けた状態の斜視図。
【図４０】蓋開閉機構を閉じた状態の斜視図。
【図４１】固定部の要部の側面図。
【図４２】開閉部の要部の側面図。
【図４３】蓋開閉機構を閉じた状態の斜視図。
【図４４】蓋開閉機構を閉じた状態の側面図。
【図４５】蓋開閉機構を開いた状態の斜視図。
【図４６】蓋開閉機構を開いた状態の側面図。
【図４７】蓋開閉機構を開いた状態の要部の断面図。
【図４８】図２１のＡ−Ａ断面図。
【図４９】メインフレームに外筐フロント形成部を組付ける前の斜視図。
【図５０】メインフレームに外筐フロント形成部を組付けた後の斜視図。
【図５１】メインフレームに外筐フロント形成部を組付けた後の要部の断面図。
【図５２】メインフレームに外筐リヤ形成部を組付ける前の斜視図。
【図５３】レンズフレームとメインフレームの間にクッション材が挟まれている状態を示す    模式図。
【図５４】従来例の説明図。
【符号の説明】
【００７０】
１…撮像装置（デジタルスチルカメラ）、２…外筐（筐体）、３…沈胴レンズ鏡筒、８１…メインフレーム、１３３…レンズフレーム（鏡筒フレーム）、１５１〜１５３…クッション材。
【図１】
2007212641.tif 000003
【図２】
2007212641.tif 000004
【図３】
2007212641.tif 000005
【図４】
2007212641.tif 000006
【図５】
2007212641.tif 000007
【図６】
2007212641.tif 000008
【図７】
2007212641.tif 000009
【図８】
2007212641.tif 000010
【図９】
2007212641.tif 000011
【図１０】
2007212641.tif 000012
【図１１】
2007212641.tif 000013
【図１２】
2007212641.tif 000014
【図１３】
2007212641.tif 000015
【図１４】
2007212641.tif 000016
【図１５】
2007212641.tif 000017
【図１６】
2007212641.tif 000018
【図１７】
2007212641.tif 000019
【図１８】
2007212641.tif 000020
【図１９】
2007212641.tif 000021
【図２０】
2007212641.tif 000022
【図２１】
2007212641.tif 000023
【図２２】
2007212641.tif 000024
【図２３】
2007212641.tif 000025
【図２４】
2007212641.tif 000026
【図２５】
2007212641.tif 000027
【図２６】
2007212641.tif 000028
【図２７】
2007212641.tif 000029
【図２８】
2007212641.tif 000030
【図２９】
2007212641.tif 000031
【図３０】
2007212641.tif 000032
【図３１】
2007212641.tif 000033
【図３２】
2007212641.tif 000034
【図３３】
2007212641.tif 000035
【図３４】
2007212641.tif 000036
【図３５】
2007212641.tif 000037
【図３６】
2007212641.tif 000038
【図３７】
2007212641.tif 000039
【図３８】
2007212641.tif 000040
【図３９】
2007212641.tif 000041
【図４０】
2007212641.tif 000042
【図４１】
2007212641.tif 000043
【図４２】
2007212641.tif 000044
【図４３】
2007212641.tif 000045
【図４４】
2007212641.tif 000046
【図４５】
2007212641.tif 000047
【図４６】
2007212641.tif 000048
【図４７】
2007212641.tif 000049
【図４８】
2007212641.tif 000050
【図４９】
2007212641.tif 000051
【図５０】
2007212641.tif 000052
【図５１】
2007212641.tif 000053
【図５２】
2007212641.tif 000054
【図５３】
2007212641.tif 000055
【図５４】
2007212641.tif 000056